(57)【要約】【課題】傾動手段を野縁受け等へ取付ける取付部材を改善して、カバー材が大重量であってもこれを強力に支持し、エキスパンションジョインを高い安全性を持つようにように簡便に設置することができる構造を提供すること。【解決手段】間隙をおいて相対する天井材の間隙へ、この間隙を覆うカバー材を、一方の天井材側へ取付部材で取り付けた傾動手段と、他方の天井材側に設けた支点構造とで傾動が可能となるように取付けたエキスパンションジョイントの取付け構造において、上記傾動手段６を一方の天井材３側へ取付ける取付部材５が、傾動手段６の吊り腕８を固定する固定片５ａと、野縁受け２２等の上面を抑える抑え片５ｂとを上片５ｃで連結して、上記抑え片５ｂの下端と上記固定片５ａより水平に延出する下片５ｄとの間には野縁受け２２等の挿込間隙４２を形成されたものであること。【選択図】図１
2006009325.tif 000002
【特許請求の範囲】
【請求項１】
間隙をおいて相対する天井材の間隙へ、この間隙を覆うカバー材を、一方の天井材側へ取付部材で取り付けた傾動手段と、他方の天井材側に設けた支点構造とで傾動が可能となるように取付けたエキスパンションジョイントの取付け構造において、
上記傾動手段を一方の天井材側へ取付ける取付部材が、傾動手段の吊腕を固定する固定片と、野縁受け等の上面を抑える抑え片とを上片で連結して、上記抑え片の下端と上記固定片より水平に延出する下片との間に野縁受け等の差込間隙を形成したものである
ことを特徴とするエキスパンションジョイントの取付け構造。
【請求項２】
上記取付部材と野縁受け等を接合する接合具は、一対の接合片の一端が押しねじを螺合した連結片で連結され、離間する他端に上記連結片に対応する顎部を形成されている
ことを特徴とする請求項1に記載のエキスパンションジョイントの取付け構造。
【発明の詳細な説明】
【技術分野】
【０００１】
本発明は、間隙をおいて相対する天井材の上記間隙へカバー材を強固に簡便に取付けるのに適したエキスパンションジョイントの取付け構造に関する。
【背景技術】
【０００２】
従来、離間した天井板の間へ、天井パネルを間隙の変動に伴う傾動が可能となるように設置するには、この天井パネルの中央部を吊るバネ機構の支持部材をアングル材により野縁受け等へ取付け、天井パネルの一端を他方の天井材へ回動自在に接続する構成を採用している。（例えば、特許文献１参照）
【特許文献１】特開平９−６０１８２号公報
【０００３】
しかしながら、上記アングル材を取付けに用いると、天井パネルが大型であったり、タイル等の重い材質を用いたりする場合は、支持強度が不足してエキスパンションジョイントの安全な設置ができないという問題点がある。
【発明の開示】
【発明が解決しようとする課題】
【０００４】
本発明は前記問題点を解決し、傾動手段の吊腕を野縁受け等へ取付ける取付部材を筒状構造に改善して、カバー材が大重量であってこれを強力に支持して、エキスパンションジョインの安全な設置を簡便に行なうことが可能な取付け構造を提供することをその課題とする。
【課題を解決するための手段】
【０００５】
前記課題を解決するため本発明に係るエキスパンションジョイントの取付け構造は、下記の構成を採用することを特徴とする。
【０００６】
間隙をおいて相対する天井材の間隙へ、この間隙を覆うカバー材を、一方の天井材側へ取付部材で取り付けた傾動手段と、他方の天井材側に設けた支点構造とで傾動が可能となるように取付けたエキスパンションジョイントの取付け構造において、上記傾動手段を一方の天井材側へ取付ける取付部材が、傾動手段の吊腕を固定する固定片と、野縁受け等の上面を抑える抑え片とを上片で連結して、上記抑え片の下端と上記固定片より水平に延出する下片との間に野縁受け等の差込間隙を形成したものである。
【０００７】
上記取付部材と野縁受け等を接合する接合具は、一対の接合片の一端が押しねじを螺合した連結片で連結され、離間する他端に上記連結片に対応する顎部を形成されていることが好ましい。
【発明の効果】
【０００８】
請求項１の効果  カバー材の傾動手段を一方の天井材側へ取付ける取付部材を、傾動手段の吊腕を固定する固定片と、野縁受け等の上面を抑える抑え片とを上片で連結して、上記抑え片の下端と上記固定片より水平に延出する下片との間に野縁受け等の差込間隙を形成した構成としてあるため、カバー材が大型であったり、タイル等の重い材料を用いたものであったりしても十分な支持力を有して、安全性が高くて作動性性能にも優れたエキスパンションジョイントの容易な設置を可能とするものであって、しかも、取付部材はこれと野縁受け等との接続を行なう接続具の設置空間を有するため、クランプ式の接合具を用いての確実な接合を簡便に行なえる。
【０００９】
請求項２の効果  一対の接合片の一方に設けた連結部を野縁受け等へ掛け、離間する他方に設けた顎部を取付部材に掛けてねじを手又は工具で締めるだけで、取付部材を野縁受け等へ強固に固定する操作が簡単迅速にできる。
【発明を実施するための最良の形態】
【００１０】
以下に本発明に係るエキスパンションジョイントの取付け構造の実施形態を図面について説明する。
【実施例１】
【００１１】
図１において符号１で示すエキスパンションジョイントの一例は、間隙Ｓをおいて相対する天井材２と天井材３との上記間隙Ｓへ、この間隙Ｓを覆うカバー材４を、一方の天井材３側へ取付部材５で取り付けた傾動手段６と、他方の天井材２側へ設けた支点構造７とに支持させて傾動可能となるように配置したものであり、上記傾動手段６は、天井材３側より間隙Ｓの上方へ延長する吊腕８に下り傾斜の長孔９を設け、この長孔９へカバー材４より立ち上げた立上片１０に支持される摺動子１１を係合させた構成とし、上記支点構造は７は、天井材２側に円弧状をなす受座１２を設けて、この受座１２へカバー材４の一端に取り付けた支点部材１３の円形端を係合させた構造として、間隙Ｓの変動に伴いカバー材４の傾動が起るようにしてある。
【００１２】
上記天井材２と天井材３とは、所要幅で長尺に形成した公知ものを用い、側縁にはそれぞれ額縁材１４と額縁材１５とを取り付ける。
【００１３】
一方の額縁材１４は、図２（ａ）に示す通り、天井材２の側縁に平行する側片１４ａと、側縁１４ａの下部に左方へ直角に曲るように設けた下片１４ｂと、側片１４ａの上端と水平部１４ｃの中間部で接合されて、水平部１４ｃの左端から右方へ折り返す部分に上記受座１２を形成した上片１４ｄと、受座１２の外面より左方へ水平に延出する取付片１６とを有する構成としてある。
【００１４】
他方の額縁材１５は、図２（ｂ）に示す通り、天井材３の側縁に平行する側片１５ａと、この側縁１５ａの下部に右方へ直角に曲がるように設けた下片１５ｂと、側片１５ａの上部から右方へ斜めに延出し、その上端よりに右側へ水平に延出する取付片１７を連接した上片１５ｃとを有する構成として、上記取付片１７は右側の一部分が他の部分よりも高くなる段部１８を有するようにしてある。
【００１５】
天井材２と天井材３を建物躯体１９と建物躯体２０へ取り付けるには、図１に示す通り建物躯体１９と建物躯体２０の下側に吊り具２１で野縁受け２２を水平に吊り、この野縁受け２２へ取付部材２３で所定の間隔で野縁２４を取り付けて、この野縁２４へ釘、ネジ等で天井材２及び天井材３を止め付ける。
【００１６】
カバー材４は、図３に示す通り、天井材２及び天井材３と同じ材料で間隙Ｓを閉塞するのに充分な幅の長尺物に形成し、両側にはカバー材４の上面に当る当片２５、２６を一体形成した額縁材２７、２８を嵌める。そして、一方の額縁材２７は、カバー材４の側縁と平行する側片２７ａの下側に直角に右方へ曲がる下片２７ｂを設け、上側には左方へ斜めに延出する目隠片２９を設けて、この目隠片２９の上端に上記支点部材１３を形成してあり、他方の額縁材２８は、カバー材４の側縁と平行する側片２８ａの下側に、直角に左方へ曲がる下片２８ｂを設け、上側には右方へ斜めに延び出す目隠片３０を設けて、この目隠片３０の上端には右方へ延び出す水平部３０ａを連設してある。
【００１７】
カバー材４の上方に摺動子１１を支持させる立上片１０は、カバー材４の上へ所定の間隔で取付けるものであり、図４（ａ）に示す通り、短寸の水平取付板３１の後側から直立する構造として、背面の上部左端側に摺動子１１を取り付ける。この摺動子１１は吊り腕８に設けた傾斜孔９と線状接触させる必要があるので、円形断面のものを用いるか、軸３２で立上片１０へ回動自在に取り付けたローラを用いることが好ましい。
【００１８】
上記水平取付板３１は、これと同じく短寸に形成して、図４（ｂ）に示す通り上側に一対の係止溝３３、３３を対設した座板３４の上へ、両側を係止溝３３、３３に係合させて重ねる。そして、係止溝３３、３３を押しつぶすことにより水平取付板３１を座板３４へかしめ付け、座板３４の両側下面に形成した凹条３５と凹条３６を、額縁材２７及び２８に設けた当片２５及び２６の上面に形成される凸条３７と凸条３８へ係合させて、両者を図１に示す通りねじ３９で結合する。
【００１９】
上記傾動手段６の吊腕８は、図４（ｃ）に示す通り、基部８ａの右端に前または後へ直角に曲がるように取付片４０を設け、基部の下側に前または後へ直角に曲がる支持片４１を設けて、取付片４０は図１に示す通り取付部材５とボルト４２で結合し、支持片４１は天井材３へ取付けた額縁材１５の取付片１７とねじ４３で結合して、吊腕８の強固で安定した取り付けができるようにする。
【００２０】
また、吊り腕８は傾斜孔９の下側には、常態ではカバー材４が天井材２及天井材３と面一をなすように間隙Ｓへ納まるとき、立上片５の左縁へ当接して安定を保つためのストッパー４４を設け、カバー材４の重心を多少右側へ偏移させることにより上記状態が保持されるようにする。
【００２１】
傾動手段６の吊腕８を野縁受け２２等へ取付ける取付部材５は、図５に示す通りの長尺物であって、傾動手段の吊腕８をボルト４２で固定する固定片５ａと、野縁受け２２等の上面を抑える抑え片５ｂとを上片５ｃで連結し、この上記抑え片５ｂの下端と上記固定片５ａの下端より水平に延出する下片５ｄとの間に、野縁受け２２等を挿込む間隙４６を形成する。そして、この間隙４６から取付部材５内へ野縁受け２１等を挿し込み、取付部材５の下片５ｄと結合具４７で結合する。また、抑え片５ｂの下端には、野縁受け２２等の上面へ当たる当片５ｅを設け、この当片５ｅを結合具４８で野縁受け２２等と結合する。
【００２２】
また、天井材２の額縁材１４も野縁受け２２等へ固定する。このために図４（ｄ）に示す通り縦片４９ａと、横片４９ｂとでアングル状に形成した取付部材４９を用いて、縦片４９ａを図１に示す通りボルト５０でアングル５１と結合し、横片４９ｂを天井材２へ嵌めた額縁材１４より延出する取付片１６とねじ５２で結合する。
【００２３】
なお、上記取付部材５とアングル５１とは、図１に示す通り位置決めねじ５３で野縁受け２２等の端部へ取り付けて置いて、取付部材５と吊り腕８とのボルト４２による結合及びアングル５１と取付部材４９とのボルト５０による結合を行うようにする。
【００２４】
上記結合具４７は、図６（ａ）に示す通り一対の結合片５４が、一端を押しねじ５５を螺合した連結片５６で連結され、離間する他端に結合片５４を先下がり傾斜を有する形状に形成することで、上記連結片５６に対応する顎部５７を形成したものであり、図１に示す通り野縁受け２２等へ連結片５６が掛り、取付部材５の下片５ｄへ顎部５７が掛るように結合具４７を取付部材５内の空間５８へ収めて、押しねじ５５を手で撮み５９を回し締め付ける。
【００２５】
また、接合具４８は、図６（ｂ）に示す通り、接合具４７が連結片５６に摘み５９を有する押しねじ５５を螺合して、押しねじ５５を手で締めるようにしたのに対し、押しねじ５５をドライバー等で回す頭６０を有するものとしてある。
【００２６】
上記構成のエキスパンションジョイント１の設置は、天井材２及び３の取付前に下記の通りに行なう。
【００２７】
先ず、一方の天井材２を支持する野縁受け２２の端部へ位置決めねじ５３でアングル５１を取付けて、このアングル５１に取付部材４９の縦片４９ａをボルト５０で固定する。
そして、取付部材４９の横片４９ｂに額縁材１４に付設した取付片１６をねじ５２で固定すると、取付片１６に設けた受座１２がカバー材４に設けた支点部材１２を受けて、カバー材４に支点部材１２を中心とした回動運動を行なわせる支点構造７が構成される。
【００２８】
次に、他方の天井材３を支持する野縁受け２２の端部を、取付部材５に設けた空間５８内へ間隙４６より挿し入れて、取付部材５の下片５ｄを位置決めねじ５３で野縁受け２２へ固定する。そして、取付部材５の固定片５ａに吊り腕８の基部８ａに設けた取付片４０をボルト４２で結合する。
【００２９】
更に、取付部材５の空間５８内へ接合具４７を差し入れて、結合片５４の一端に設けた連結片５６を野縁受け２２の上面へ当て、他端に設けた顎部５７を取付部材５の下片５ｄへ掛けて、押しねじ５５を摘み５９で回して野縁受け２２と下片５ｂとを結合してから、取付部材５の外側に顎部５７が取付部材５に設けた当片５ｅへ掛り、連結片５６が野縁受け２２の下面へ掛かるように接合具４８を配置して、押しねじ５５を頭６０をドライバー等で回すことにより、当片５ｅと野縁受け２２を接合すると、吊り腕８の取付部材５による強固で安定した取り付けが行なわれる。
【００３０】
上記の通りに取付部材４９と取付部材５が取付けられたら、一方の野縁受け２２へ天井材２を取付けて、この天井材２に嵌めた額縁材１４の取付片１６を取付部材４９の横片４９ｂへねじ５２で固定すると、額縁材１４の上片１４ｄに設けた受座１２が、カバー材４の額縁材２７の目隠片２９に設けた支点部材１３を受けて支点構造７を構成する。
【００３１】
また、他方の野縁受け２２へ天井材３を取付けて、この天井材３に嵌めた額縁材１５の取付片１７を吊り腕８の水平の支持片４１へねじ４３で固定すると、額縁材１５の取付片１７が、額縁材２８の目隠片３０に連接した水平部３０ａに移動自在に支持される。
【００３２】
この状態において、天井材２と天井材３との間隙Ｓにカバー材４を右上がりに傾けて挿入して、一方の額縁材２７に設けた支点部材１３を、天井材２の額縁材１４に設けた受座１２に係合させ、他方の額縁材２８に設けた水平部３０ａを天井材３の額縁材２８に設けた水平の取付片１７に支持させて置いて、カバー材４へ立上片１０で取り付けられる摺動子１１を吊り腕８の長孔９へ係合させれば、地震、地盤沈下などで天井材２と天井材３との間隙Ｓが狭まるように変動すると、傾動手段６と支点構造７の作用でカバー材４が右上がりに傾いて、間隙Ｓの変動を吸収する操作を確実に行なう。
【実施例２】
【００３３】
この実施例は、天井材２と天井材３との間隙Ｓが野縁２４の配列方向と直交するように存在するため、野縁受け２２が間隙Ｓと平行するように存在して、その端部へ取付部材５で吊り腕８を取り付けることが出来ない場合に、野縁受け２２の上へこれと直交するように補足材６１を取付け、この補足材６１の端部へ取付部材５で吊り腕８を取り付けるようにしたものである。
【００３４】
野縁受け２２の上へ補足材６１を取付けるには、図７に示す通り前後の方向に配列される野縁受け２２の上へ、左右方向に配列された補足材６１を乗せ、この補足材６１と野縁受け２２とを弾性を利用した接続具６２で簡便に接合する。
【００３５】
上記接続具６２は、図９に示す通り、弾性線材を曲げて一対の結合片６３が一端を補足材６１の幅に合わせた連結部６４で連結され、他端には野縁受け２２の下面へ掛かる鉤部６５を形成されて、この鉤部６５は先端側に野縁受け２２の側面の下部に係合する外れ止めの段部６６を有し、更に、接合片６３は連結部６４と鉤部６５とが相対するように上半分を斜めに曲げた構成としてある。
【００３６】
接続具６２で、野縁受け２２と補足材６１とを連結するには、図８に鎖線で示す通り、野縁材２２の上へ重ねた補足材６１の上面へ接合具６１の連結部６４を当て、接合具６２を矢印の方向に回動させると、接合具の鉤部６５は野縁受け２２の下面に係合して、その段部６６が野縁受け２２の側面に掛った状態で止るため、交差して配置される野縁受け２２と補足材６１とを簡便に確実に結合することができる。
【００３７】
この実施例において、補足材６１へ取付部材５及び取付部材４９を取付けるため各部材の構造及び取付け状態は、実施例と同様のものであるので、実施例１に準じて部材に符号を付して構造並びに取り付け状態の説明は省略した。
【産業上の利用可能性】
【００３８】
カバー材が大型若しくは重いエキスパンジョンジョイントを、変調や故障を生じることなく安定確実に作動させるのに貢献する。
【図面の簡単な説明】
【００３９】
【図１】天井材の間隙に設けたエキスパンションジョイントの実施例１を示す断面図。
【図２】（ａ）（ｂ）は、天井材へ取付ける２種類の額縁材の一部分を示す斜視図。
【図３】カバー材の一部分を示す斜視図。
【図４】（ａ）（ｂ）（ｃ）（ｄ）は、摺動子を支持する立上片と、立上片を取付ける座板と、カバー材の吊り腕と、額縁材の取付部材を示す斜視図。
【図５】吊り腕を取付ける取付部材の一部分を示す斜視図。
【図６】（ａ）（ｂ）は、取付部材と野縁受け等とを結合する２種類の結合具を示す斜視図。
【図７】天井材の間隙に設けたエキスパンションジョイントの実施例２を示す断面図。
【図８】野縁受けへ直交するように補足材を取付けた状態の説明図。
【図９】野縁受けと補足材を結合する結合の斜視図。
【符号の説明】
【００４０】
１  エキスパンションジョイント
２と３  天井材
Ｓ  天井材の間隙
４  カバー材
５  取付部材
５ａ  固定片
５ｂ  抑え片
５ｃ  上片
６  傾動手段
７  支点構造
８  吊り腕
２２  野縁受け
４７、４８  結合具
【図１】
2006009325.tif 000003
【図２】
2006009325.tif 000004
【図３】
2006009325.tif 000005
【図４】
2006009325.tif 000006
【図５】
2006009325.tif 000007
【図６】
2006009325.tif 000008
【図７】
2006009325.tif 000009
【図８】
2006009325.tif 000010
【図９】
2006009325.tif 000011